(57)【要約】      （修正有）【課題】過度の防水処理を不要とすると共に、ＬＥＤ等の光源の配置自由度を確保して発光エンブレムの設計自由度を高める。【解決手段】車輌ボデー外板１０の外側に配置される導光板１２０と、車輌ボデー外板１０の内側に配置される光源１４２と、車輌ボデー外板１０に設けられたボデー貫通孔１２に挿入するスリーブ１３０と、を備え、スリーブ１３０が透光性を有する素材で構成されることにより車輌ボデー外板１０の内側に配置された光源１４２の光を、当該スリーブ１３０を介して車輌ボデー外板１０の外側に配置される導光板１２０に導くことができ、更に、スリーブ１３０はピン部材１１４を挿入可能なピン穴１３２を備え、当該スリーブ１３０をボデー貫通孔１２に挿入した状態で当該ピン穴１３２にピン部材１１４を挿入すると当該ピン部材１１４の挿入によってスリーブ１３０の外径が大きくなりボデー貫通孔１２に対して密着固定される。【選択図】図２
2015041486.tif 000002
【特許請求の範囲】
【請求項１】
車輌ボデー外板の外側に配置される導光板と、
前記車輌ボデー外板の内側に配置される光源と、
前記車輌ボデー外板に設けられたボデー貫通孔に挿入するスリーブと、を備え、
前記スリーブが透光性を有する素材で構成されることにより前記車輌ボデー外板の内側に配置された前記光源の光を、当該スリーブを介して前記車輌ボデー外板の外側に配置される前記導光板に導くことができ、
更に、前記スリーブはピン部材を挿入可能なピン穴を備え、当該スリーブを前記ボデー貫通孔に挿入した状態で当該ピン穴に前記ピン部材を挿入すると当該ピン部材の挿入によって前記スリーブの外径が大きくなり前記貫通孔に対して密着固定される
ことを特徴とする車輌用発光エンブレム。
【請求項２】
請求項１において、
前記スリーブのピン穴の底部には空気が抜けるための空気穴が形成されている
ことを特徴とする車輌用発光エンブレム。
【請求項３】
請求項１又は２において、
前記スリーブのピン穴は、先端方向に向かってテーパ状に幅狭となるように構成されている
ことを特徴とする車輌用発光エンブレム。
【請求項４】
請求項１〜３のいずれかにおいて、
前記スリーブのピン穴入り口が面取り形成されており、透過してきた光を半径方向外側に拡散できる構成とされている
ことを特徴とする車輌用発光エンブレム。
【発明の詳細な説明】
【技術分野】
【０００１】
本発明は、自動車等の車輌の技術分野に関し、特にエンブレムを発光させる技術分野に関するものである。
【背景技術】
【０００２】
従来から、自動車等の車輌に備わっているエンブレム（自動車メーカーを示すエンブレムや車輌の名称やグレードを示すエンブレム等）をＬＥＤ等の光源を用いて発光させるという技術は多数存在する。
【０００３】
出願人自身もこういった技術について複数の特許出願等を行い、特許を受けている（特許文献１〜３参照）。
【０００４】
特許文献１の技術は、前面に配置されると共に少なくとも一部が前後方向にくり貫かれたくり抜き部１１１〜１１４（符号は全て各文献で使用されている符号）を有し、且つ当該くり抜き部１１１〜１１４以外の部分の後面に凹部１１０ａを有するエンブレムカバー１１０と、該凹部１１０ａに配置され後方に向かって光を放つＬＥＤ光源１５０と、当該ＬＥＤ光源１５０の後方に配置されると共に、少なくとも前記くり抜き部１１１〜１１４全体をカバーする形状に透明な樹脂で形成された平板状の導光板１４０であって、前面側から受けた前記ＬＥＤ光源の光を水平方向に拡散する光拡散部を備えた導光板１４０と、を備え、前記くり抜き部１１１〜１１４を介して前記ＬＥＤ光源１５０の光が前面側に放出される、という技術である。
【０００５】
特許文献２の技術は、エンブレムカバー１１０と、このエンブレムカバー１１０と略同じ大きさに形成されてエンブレムカバー１１０の裏面側に配置される導光板１２０と、この導光板の厚み方向面に対して光を入射する発光ユニット１３０と、を備えた車両用ＬＥＤ発光エンブレム１００であって、導光板１２０を、自身の一部が切り欠かれて形成されたＬＥＤ光源配置部１２２を備え、且つ、外周がＬＥＤ光源配置部１２２を除いて曲線となるように構成し、ＬＥＤ光源配置部１２２を、正面視した際に、エンブレムカバー１１０で隠れる位置、且つ導光板１２０の外周近傍に設け、発光ユニット１３０を、その照射中心が導光板１２０の外周面に向かうように配置する、という技術である。
【０００６】
特許文献３の技術は、透明なエンブレムカバー１０２の裏面に備わる所望形状の凹部１０４と、この凹部１０４に施されたメッキ層１０８と、凹部１０４の周縁に設けられた透過領域１０６と、エンブレムカバー１０２の裏面における透過領域１０６以外の部分に施された印刷層１１０と、凹部１０４に嵌合する薄板状の導光板１１４と、この導光板１１４に対して光を照射するＬＥＤ光源１２０と、を備え、導光板１１４によって導かれた光が透過領域１０６を介してエンブレムカバー１０２の表面側に放出される、という技術である。
【０００７】
このような構成を採用することによって、発光ムラを抑制し、均一且つ上品なＬＥＤ発光エンブレムを実現させている。
【先行技術文献】
【特許文献】
【０００８】
【特許文献１】特許第４７９００９５号公報
【特許文献２】特許第５００５１０９号公報
【特許文献３】特許第５０９５０２９号公報
【発明の概要】
【発明が解決しようとする課題】
【０００９】
しかしながら、上記の技術はいずれもエンブレムの裏面等に発光源としてのＬＥＤ等を組み込んで発光させるものである。エンブレムは車輌ボデー外板の表面等に（即ち車外に）配置されるものであるため、組み込んだ光源や基板等に水分が混入しないように厳重な防水処理を施す必要があり、それが原因で発光エンブレム自体の構造が複雑となる等の不都合があった。また、ＬＥＤ等の光源を配置するスペースや、ムラの無い発光を実現するために光を拡散させるスペースが必要となるなど、不可避的に発光エンブレム自体の厚みが増す等の不都合もあった。
【００１０】
そこで本発明は、こういった問題点を解決するべくなされたものであって、過度の防水処理を不要とすると共に、ＬＥＤ等の光源の配置自由度を確保して発光エンブレムの設計自由度を高める事をその課題としている。
【課題を解決するための手段】
【００１１】
上記課題を解決するべく、本願発明は、車輌ボデー外板の外側に配置される導光板と、前記車輌ボデー外板の内側に配置される光源と、前記車輌ボデー外板に設けられたボデー貫通孔に挿入するスリーブと、を備え、前記スリーブが透光性を有する素材で構成されることにより前記車輌ボデー外板の内側に配置された前記光源の光を、当該スリーブを介して前記車輌ボデー外板の外側に配置される前記導光板に導くことができ、更に、前記スリーブはピン部材を挿入可能なピン穴を備え、当該スリーブを前記ボデー貫通孔に挿入した状態で当該ピン穴に前記ピン部材を挿入すると当該ピン部材の挿入によって前記スリーブの外径が大きくなり前記貫通孔に対して密着固定されることを特徴とする。
【００１２】
このような構成によって、過度の防水処理を不要とすると共に、ＬＥＤ等の光源の設置自由度を確保して発光エンブレムの設計自由度を高めることを実現している。即ち、光源の設置場所を車外ではなく車輌ボデー外板の内側（要するに車内側）にし、且つ透光性を有するスリーブを介してこの光源の光を車輌外側（車輌ボデー外板の外側）に導くという構成を採用したことによって、光源を配置するために内側（車輌ボデー外板の内側）の広いスペースを利用することができるようになる。更に、このスペースは元々ボデー外板により保護されているスペースなので、光源やそれをコントロールする為の基板等電気的な部品をこの内側のスペースに設置でき、耐候性や耐久性、動作安定性を飛躍的に向上させることも可能となった。更に、スリーブのピン穴にピン部材を差し込めば、スリーブが大径化して車輌ボデー外板に形成されているボデー貫通孔に対して密着するように構成されているので、当該密着により必要なボデー内外の防水性を確保することも可能となっている。
【００１３】
また、前記スリーブのピン穴の底部には空気が抜けるための空気穴が形成されていることを特徴とする。
【００１４】
このように構成したことによって、スリーブのピン穴に対してピン部材を無理なく奥まで確実に挿入することができる。仮に空気穴が形成されていないと、ピン部材によってピン穴内の空気が圧縮されてしまい、意図しない反力（ピン部材を押し戻そうとする反力）が発生し、ピン部材の確実な挿入が阻害されることとなる。
【００１５】
また、前記スリーブのピン穴は、先端方向に向かってテーパ状に幅狭となるように構成されていることを特徴とする。
【００１６】
このように構成することで、入光面となるスリーブ底面の面積を大きく確保することができ、光源から照射された光を効率的に透光スリーブ内に取り込むことができる。
【００１７】
また、前記スリーブのピン穴入り口が面取り形成されており、透過してきた光を半径方向外側に拡散できる構成とされていることを特徴とする。
【００１８】
このような構成を採用したことによって、スリーブ内を透過していた光を効率的に導光板に導くことが可能となっている。
【発明の効果】
【００１９】
本発明を適用することで、過度の防水処理を不要とすると共に、ＬＥＤ等の光源の配置自由度を確保して発光エンブレムの設計自由度を確保することができる。
【図面の簡単な説明】
【００２０】
【図１】本発明に係る車輌用発光エンブレムを装着した車輌の斜視図である。
【図２】本発明に係る車輌用発光エンブレムの分解組立図である。
【図３】本発明に係る車輌用発光エンブレムのα−α線に沿う断面図である。
【図４】本発明に係る車輌用発光エンブレムのβ−β線に沿う断面図である。
【図５】透過スリーブの断面図である。
【図６】透過スリーブの断面図であって、（ａ）は固定ピンが挿入されていない状態を示した図であり、（ｂ）は固定ピンが挿入された状態を示した図である。
【発明を実施するための形態】
【００２１】
以下、添付図面を参照しつつ、本発明の実施形態の一例であるについて説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２２】
〈車輌用発光エンブレムの構成〉
本発明の実施形態の一例である、車輌用発光エンブレム（以下単に「発光エンブレム」という。）１００は、例えば図１に示しているように、自動車（車輌）１のトランク（車輌ボデー外板）１０に備わっている。もちろん装着場所は図示の位置に限られるものではない。
【００２３】
図２に示しているように、発光エンブレム１００は、車輌ボデー外板１０を内外から挟み込むようにして構成される。車輌ボデー外板１０には、後述する透光スリーブ１３０を挿入するためのボデー貫通孔１２が形成されている。本実施形態においてはボデー貫通孔１２が横並びに２つ設けられているが、配置や数は車種等によって適宜異なる。
【００２４】
ボデー貫通孔１２には、略円筒形状の透光スリーブ１３０が挿入される。この透光スリーブ１３０は、例えば透明な塩化ビニールで構成されており、適度な柔軟性及び可撓性を有すると共に、自身を光が透過できるように構成される。図５にも示しているように、透光スリーブ１３０は、一端が大径に形成されたフランジ部１３１を備えている。また中心には中空のピン穴１３２が形成されており、当該ピン穴１３２に対して後述するピン部材が挿入される。また、ピン穴１３２の奥方（図５においては下方）はピン穴１３２の径がテーパ状に幅狭となるように形成されると共に、底部には空気穴１３４が形成されている。また、ピン穴１３２の入り口（フランジ部１３１側）は面取り加工が施されていて、透過スリーブ１３２の底面側から入った光をフランジ部１３１側へと効率よく屈曲させることが可能に構成されている。
【００２５】
エンブレムカバー１１０は、自動車メーカーのロゴマーク等が象られた、例えば樹脂製の成形品であり、表面にメッキ処理等が施されている。このエンブレムカバー１１０の裏面には当該エンブレムカバー１１０を固定する為の固定ピン（ピン部材）１１４が一体成形されている。
【００２６】
エンブレムカバー１１０の裏側（車輌ボデー外板１０側）には、所望の形状に形成された導光板１２０が配置される。この導光板１２０はここでは自動車メーカーのロゴマークの形状に象られており、固定ピン１１４の位置に、丁度透光スリーブ１３０のフランジ部１３１が収まる程度の大きさのスリーブ穴１２２が形成されている。また導光板１２０は、アクリルや塩化ビニール等の透光性を有する素材で構成される。
【００２７】
また本実施形態においては、導光板１２０は、エンブレムカバー１１０のよりも僅かに外に飛び出るように構成されていて（図４参照）、且つ、端面が逆テーパ形状となるように形成されている。これは当該導光板１２０を導かれてきた光を効率よくエンブレムカバー１１０側へと反射させるためである。
【００２８】
また、車輌ボデー外板１０の内側には、光源となるＬＥＤ１４２を備えた光源ケース１４０が配置される。箱形の光源ケース１４０の一面は開口されていて、開口面外周１４１に両面テープ等を使用して車輌ボデー外板１０の内側に貼付される。光源であるＬＥＤには、電源コード１４４が繋がっており、必要に応じて電源が供給されるとＬＥＤが発光するように構成されている。
【００２９】
透光スリーブ１３２は、ボデー貫通孔１２に挿入される。この時透光スリーブ１３２のブランジ部１３１はボデー貫通孔１２の穴径よりも大径に構成されているので、透光スリーブ１３２はフランジ部１３１が引っ掛かるようにして固定される。その状態で導光板１２０が組み付けられる。丁度、導光板１２０のスリーブ貫通孔１２２に透光スリーブ１３０のフランジ部１３１が嵌まり込むように位置決め固定される。その状態でエンブレムカバー１１０が導光板１２０に覆い被さるように組み付けられる。この時、エンブレムカバー１１０に一体成形されている固定ピン１１４が、透光スリーブ１３０のピン穴１３２に挿入されて固定される。
【００３０】
ここで、固定ピン１１４が透光スリーブ１３０のピン穴１３２に挿入されると、これにより透光スリーブ１３０自体が大径化（太くなる）する（図６参照）。これは、固定ピン１１４の外径に対してピン穴１３２の内径が小さく構成されており、且つ、透光スリーブ１３０自体がある程度の柔軟性を有した可撓性のある素材で構成されているからである。このように、固定ピン１１４を挿入することによって透光スリーブ１３０が太くなり、ボデー貫通孔１２に対して密着するように構成されている。また、ピン穴１３２の底面には空気穴１３４が形成されているので、固定ピン１１４を押し込み挿入する際にも当該空気穴１３４から余分な空気が抜けるので、圧縮された空気が反力を発生することも無い。更に、ピン穴１３２の底方は、内径がテーパ状に幅狭となるように構成されているので、入光面となる透光スリーブ１３０の底面の面積を大きく確保することができ、光源であるＬＥＤ１４２から照射された光を効率的に透光スリーブ１３０内に取り込むことができる。
【００３１】
〈車輌用発光エンブレムの作用・機能〉
ＬＥＤ１４２に対して電力が供給されると、ＬＥＤ１４２が発光する。この光は光源ボックス１４０内で反射を繰り返すと共に、透光スリーブ１３０の底面から入光し、当該透光スリーブ１３０内を通ってフランジ部１３１へと導かれる。フランジ部１３１から出た光はそのまま導光板１３０に形成されたスリーブ孔１２２の内周面を介して導光板１２０に伝わって広がり、当該導光板の外周面を発光させる。この発光が外部にエンブレムの発光として視認される。
【００３２】
本発明を適用した車輌用発光エンブレム１００においては、車輌ボデー外板１０の外側に配置される導光板１２０と、車輌ボデー外板１０の内側に配置されるＬＥＤ１４２と、車輌ボデー外板１０に設けられたボデー貫通孔１２に挿入する透光スリーブ１３０と、を備え、この透光スリーブ１３０が透光性を有する塩化ビニール等の素材で構成されることにより車輌ボデー外板１０の内側に配置されたＬＥＤ光源１４２の光を当該透光スリーブ１３０を介して車輌ボデー外板１０の外側に配置される導光板１２０に導くことができ、更に、透光スリーブ１３０はピン部材１１４を挿入可能なピン穴１３２を備え、当該透光スリーブ１３０をボデー貫通孔１２に挿入した状態でピン穴１３２にピン部材１１４を挿入すると当該ピン部材１１４の挿入によって透光スリーブ１３０の外径が大きくなりボデー貫通孔１２に対して内側から密着固定される。
【００３３】
このような構成によって、過度の防水処理を不要とすると共に、ＬＥＤ１４２の設置自由度を確保して発光エンブレム１００の設計自由度を高めることを実現している。即ち、ＬＥＤ１４２の設置場所を車外ではなく車輌ボデー外板１０の内側（要するに車内側）にし、且つ透光性を有するスリーブ透光１３０を介してこのＬＥＤ１４２の光を車輌外側（車輌ボデー外板１０の外側）に導くという構成を採用したことによって、ＬＥＤ１４２を配置するために内側（車輌ボデー外板１０の内側）の広いスペースを利用することができるようになる。更に、このスペースは元々ボデー外板１０により保護されているスペースなので、ＬＥＤ１４２やそれをコントロールする為の基板等電気的な部品をこの内側のスペースに設置でき、耐候性や耐久性、動作安定性を飛躍的に向上させることも可能となった。更に、透光スリーブ１３０のピン穴１３２にピン部材１１４を差し込めば、透光スリーブ１３０自体が大径化して車輌ボデー外板１０に形成されているボデー貫通孔１２に対して内側から密着するように構成されているので、当該密着により必要なボデー内外の防水性を確保することも可能となっている。
【００３４】
また、透光スリーブ１３０のピン穴１３２の底部には空気が抜けるための空気穴１３４が形成されているので、透光スリーブ１３０のピン穴１３２に対してピン部材１１４を無理なく奥まで確実に挿入することができる。仮に空気穴１３４が形成されていないと、ピン部材１１４によってピン穴１３２内の空気が圧縮されてしまい、意図しない反力（ピン部材１１４を押し戻そうとする反力）が発生し、ピン部材１１４の確実な挿入が阻害されることとなる。
【００３５】
また、透光スリーブ１３０のピン穴１３２は、先端方向に向かってテーパ状に幅狭となるように構成されているので、入光面となる透光スリーブ１３０の底面の面積を大きく確保することができ、ＬＥＤ１４２から照射された光を効率的に透光スリーブ１３０内に取り込むことが可能となっている。
【００３６】
また、透光スリーブ１３０のピン穴１３１入り口１３３が面取り形成されており、透過してきた光を半径方向外側に拡散できる構成とされているので、透光スリーブ１３０内を透過していた光を効率的に導光板１２０に導くことが可能となっている。
【００３７】
〈その他の構成例〉
なお上記では光源としてＬＥＤ（発光ダイオード）を前提に説明しているが、本発明により光源の配置自由度が高まっているので、その他の光源を利用することももちろん可能である。
【００３８】
また上記では、ピン部材（固定ピン）１１４がエンブレムカバー１１０と一体成形されていたが、別体として構成してもよい。即ち、エンブレムカバー自体は別途両面テープ等により車輌ボデーに固定されるような構成であっても何ら差し支え無い。
【符号の説明】
【００３９】
１・・・車輌
１０・・・車輌ボデー外板
１２・・・ボデー貫通孔（スリーブを挿入するための貫通孔）
１００・・・ＬＥＤ発光エンブレム
１１０・・・エンブレムカバー
１１２・・・貫通孔
１１４・・・固定ピン
１２０・・・導光板
１２２・・・スリーブ穴
１３０・・・透光スリーブ
１３１・・・フランジ部
１３２・・・ピン穴
１３３・・・面取り部
１３４・・・空気穴
１３６・・・テーパ部
１４０・・・光源ボックス
１４２・・・ＬＥＤ
１４４・・・配線
【図１】
2015041486.tif 000003
【図２】
2015041486.tif 000004
【図３】
2015041486.tif 000005
【図４】
2015041486.tif 000006
【図５】
2015041486.tif 000007
【図６】
2015041486.tif 000008